(57)【要約】【課題】快眠の提供、健康の増進が期待できる枕の提供。【解決手段】この枕２は、一端縁２ａ側に位置する凹部４と、上記一端縁２ａと対向する他端縁２ｂ側に、上記凹部４に隣接して位置する凸部６とを備えており、上記凹部４が、中央凹部８と、この中央凹部８の左右両側に延びる左凹部１０及び右凹部１２とを含むＴ字状を呈しており、上記凹部４と凸部６の内の少なくとも凹部４がスポンジ材から形成されている。上記凸部６に、上記他端縁２ｂから、上記中央凹部８の延長線上を内方に向けて、上部接合部３６等の切り込み部又は溝部が形成されているのが好ましい。【選択図】図１
0003205901.tif 000002
【実用新案登録請求の範囲】
【請求項１】
一端縁側に位置する凹部と、
上記一端縁と対向する他端縁側に、上記凹部に隣接して位置する凸部とを備えており、
上記凹部が、中央凹部と、この中央凹部の左右両側に延びる左凹部及び右凹部とを含むＴ字状を呈しており、
上記凹部と凸部の内の少なくとも凹部がスポンジ材から形成されている、枕。
【請求項２】
上記凸部に、上記他端縁から、上記中央凹部の延長線上を内方に向けて、切り込み部又は溝部が形成されている、請求項１に記載の枕。
【請求項３】
上記凸部がスポンジ材から形成されている、請求項１又は２に記載の枕。
【請求項４】
上記凹部及び凸部を収納する袋部材をさらに備えており、
この袋部材が、凹部収納部と凸部収納部とに仕切られており、
上記凸部収納部に、多数の粒子が収納されている、請求項１又は２に記載の枕。
【請求項５】
上記左凹部と上記凸部との境界線、及び、上記右凹部と上記凸部との境界線が、上記中央凹部から離間する方向に沿って、上記一端縁側に傾斜している、請求項１から４のいずれかに記載の枕。
【考案の詳細な説明】
【技術分野】
【０００１】
本考案は枕に関する。
【背景技術】
【０００２】
従来、使用者の頭の安定を図り、首に負担をかけず、それによって安眠を誘う効果を期待した枕が提案されている。例えば、特開２００７−６８７６２号公報には、使用者の首から後頭部に至る範囲に切れ込みが形成された枕が提案されている。この枕では、上記切れ込みにより、左枕部と右枕部と連結枕部とが形成されている。
【０００３】
この枕では、左枕部と右枕部とが使用者の頭及び首を支持する。この枕は、その切れ込み部が使用者の頸椎に対応するので頸椎には負担がかからない、というものである。
【０００４】
しかしながら、この枕であっても、使用者の首部と背部との間に段差を作ってしまうおそれがある。この段差の感触、すなわち痛みにより、使用者の快眠が阻害されるおそれがある。
【先行技術文献】
【特許文献】
【０００５】
【特許文献１】特開２００７−６８７６２号公報
【考案の概要】
【考案が解決しようとする課題】
【０００６】
本考案は、上記現状に鑑みてなされたものであり、使用者の首等を健全な姿勢にし、快眠の提供、健康の増進を目指した枕を提供することを目的としている。
【課題を解決するための手段】
【０００７】
本考案に係る枕は、
一端縁側に位置する凹部と、
上記一端縁と対向する他端縁側に、上記凹部に隣接して位置する凸部とを備えており、
上記凹部が、中央凹部と、この中央凹部の左右両側に延びる左凹部及び右凹部とを含むＴ字状を呈しており、
上記凹部と凸部の内の少なくとも凹部がスポンジ材から形成されている。
【０００８】
好ましくは、上記凸部に、上記他端縁から、上記中央凹部の延長線上を内方に向けて、切り込み部又は溝部が形成されている。
【０００９】
上記凸部はスポンジ材から形成されていてもよい。または、上記凹部及び凸部を収納する袋部材をさらに備え、この袋部材が、凹部収納部と凸部収納部とに仕切られ、上記凸部収納部には、スポンジ材に代えて多数の粒子が収納されていてもよい。
【００１０】
好ましくは、上記左凹部と上記凸部との境界線、及び、上記右凹部と上記凸部との境界線が、上記中央凹部から離間する方向に沿って、上記一端縁側に傾斜している。
【考案の効果】
【００１１】
本考案に係る枕によれば、使用者の頸椎、上部胸椎に負担を与えず、快眠の提供、健康の増進が期待できる。
【図面の簡単な説明】
【００１２】
【図１】図１は、本考案の一実施形態に係る枕を示す斜視図である。
【図２】図２は、図１に示す枕の平面図である。
【図３】図３（ａ）は、図２の枕のＡ−Ａ線に沿って見た断面図であり、図３（ｂ）は、図２の枕のＢ−Ｂ線に沿って見た断面図であり、図３（ｃ）は、図２の枕のＣ−Ｃ線に沿って見た断面図であり、図３（ｄ）は、図２の枕のＤ−Ｄ線に沿って見た断面図であり、図３（ｅ）は、図２の枕のＥ−Ｅ線に沿って見た断面図である。
【考案を実施するための形態】
【００１３】
以下、適宜図面が参照されつつ、好ましい実施形態に基づいて本考案が詳細に説明される。
【００１４】
図１及び図２には、本考案の第１の実施形態に係る枕２が示されている。この枕２は、その平面視が長方形を呈しているが、長方形には限定されない。図２において、枕２の縦長さは符号Ｌで表され、横幅は符号Ｗで表されている。この枕２は、凹部４と凸部６とを備えている。凹部４は、厚さの薄い部分すなわち上面が相対的に低い部分である。凸部６は、厚さの厚い部分すなわち上面が相対的に高い部分である。上記凹部４は、枕２の一端縁２ａ側に位置している。この一端縁２ａは、長方形枕２の左右に延びる長辺であり、使用者の肩側の端縁である。上記凸部６は、この一端縁２ａと対向する他端縁２ｂ側に、上記凹部４に隣接して位置している。換言すれば、枕２の平面視において、凹部４以外の部分は凸部６である。
【００１５】
上記凹部４は、中央凹部８と、この中央凹部８の左右両側に広がる左凹部１０及び右凹部１２とを含んでいる。上記凸部６は、左凸部１４と右凸部１６とを含んでいる。凸部６のうち、中央凹部８と後述の上部接合部３６とを境にして、図中の左側が左凸部１４であり、右側が右凸部１６である。凹部４の平面視形状はＴ字状を呈している。中央凹部８は、袋２の一端縁２ａのほぼ中央位置から内方（図２中の上方）に向けて延びている。中央凹部８の上端は、上方へ凸の円弧状にされている。これは、仰臥位の使用者の頭部の下端縁にできるだけ沿わせるための形状である。図２において、上記一端縁２ａからの中央凹部８の長さは、符号Ｍで表されている。このうち、上方へ凸の円弧部の上下寸法は、符号Ｈで表されている。中央凹部８の横幅は、符号Ｇで表されている。中央凹部８が相当の横幅Ｇを有しているのは、使用者の首に対応する部分に幅の広い凹所を形成しておくことにより、左右からの首への支持圧を低減すること、及び、首部を均等且つ柔軟に支持することを目的としたものである。
【００１６】
左凹部１０は、中央凹部８から一端縁２ａに沿って左に延びている。右凹部１２は、中央凹部８から一端縁２ａに沿って右に延びている。本実施形態では、左右の凹部１０、１２は、枕２の左右両端にまで至っているが、かかる構成には限定されない。左右の凹部１０、１２の外側端と、枕２の左右両端との間に、凸部６の一部分が存在していてもよい。
【００１７】
図２において、左凹部１０の左端の上下幅、及び、右凹部１２の右端の上下幅が、いずれも符号Ｆで表されている。左右両端の上下幅Ｆは同一である。本実施形態では、左凹部１０及び右凹部１２は、いずれも、枕２の左右両端に向かって、その上下幅が漸減している。換言すれば、左凹部１０と左凸部１４との境界線、及び、右凹部１２と右凸部１６との境界線が、上記中央凹部８から離間する方向に沿って、上記一端縁２ａ側に傾斜している。図２では、この境界線の一端縁２ａに対する傾斜角をαで表している。この境界線は、傾斜せずに、一端縁２ａと平行（α＝０°）であってもよい。また、境界線は、枕２の左右両端方向に向かって、他端２ｂ側に傾斜（α＜０°）していてもよい。しかし、境界線が、枕２の左右両端方向に向かって、一端２ａ側に傾斜（α＞０°）している場合、この境界線すなわち左右の凹部１０、１２の上端縁が、仰臥位の使用者の肩のラインに沿いやすいので好ましい。この境界線は曲線であってもよい。
【００１８】
この枕２は、袋部材１８と、この袋部材１８の内部に収納された本体とを含んでいる。この袋部材１８は、その平面視が長方形を呈しているが、長方形には限定されない。上記袋部材１８は、織布等の通気性を有する上シート（上面部）２０及び下シート（下面部）２２から形成されている。ここでは、上シート２０は、使用者が頭を載せる面を構成し、下シート２２は、床面やベッドの上面に接地される面を構成する。上シート２０と下シート２２とは、一枚のシートから形成されたものでもよく、周縁同士が接合された複数枚のシートから形成されたものでもよい。
【００１９】
袋部材１８に収納される本体は、上記凹部４を構成するスポンジ材２６、及び、上記凸部６を構成する多数の粒子からなる充填材（図３参照）２８である。袋部材１８は、凹部収納部３０と凸部収納部３２とを備えている。凹部収納部３０には、スポンジ材２６が収納され、凸部収納部３２には、粒子状充填材２８が収納されている。凹部収納部３０と凸部収納部３２との境界部は、図３（ｃ）及び図３（ｅ）に示されるような仕切布３４によって構成することができる。袋部材１８の、上記境界部に対応する内部に、仕切布３４が縫い込まれる。仕切布３４は、長さが境界部の長さとほぼ同じであり、その上下幅は、例えば約２０ｍｍである。仕切布３４の上端縁が上シート２０に縫い付けられ、下端縁が下シート２２に縫い付けられ、両端も上シート２０又は下シート２２に縫い付けられる。上記スポンジ材２６はもちろんのこと、充填材２８も、この仕切布３４からなる境界部を通過し得ない。充填材２８は、この境界部により、凹部収納部３０への進入が阻止されている。境界部は、仕切布３４には限定されず、上シート２０と下シート２２とを縫合してなる境界接合部から構成してもよい。しかし、この縫合による接合部では、凹部４と凸部６との間に段差が生じやすい。従って仕切布３４による境界部が好ましい。
【００２０】
スポンジ材２６は、所定の厚さを有し、平面視Ｔ字状に成形されている。スポンジ材２６の厚さは、一定であってもよいが、上記一端縁２ａに向けて漸減していてもよい。スポンジ材の材質としては、ゴム、ポリエチレン、ポリウレタン等が採用されうる。低反発弾性フォーム及び高反発弾性フォーム共に採用可能である。充填材２８としては、小径短小のパイプ材、蕎麦殻、豆類等が採用されうる。凸部収納部３２内には、凸部６の厚さが凹部４の厚さより厚くなる量の充填材２８が充填される。また、凸部収納部３２に充填される充填材２８の量は、側臥位で寝たときの使用者にとって、左右の凸部１４、１６が使い心地のよい高さとなるように調節が可能である。
【００２１】
上記凸部６には、上部接合部３６が形成されている。この上部接合部３６は、袋部材１８の他端縁（枕２の他端縁２ｂに相当する）１８ｂのほぼ中央位置から、内方（図２中の下方）に向けて延びている。上部接合部３６の長さは符号Ｎで表されている。この上部接合部３６は、凸部６に形成された深い溝、と言える。上部接合部３６は、それによる枕２の凹みを使用者の頭部に感触として伝えることにより、使用者に、そこが枕２の中央部であることの明示を与える。特に、使用者が仰臥位で寝たときに、頭頂部や後頭部に対応する位置の高さが高くなりすぎないように調整することができるので、この中央部明示機能は有用である。
【００２２】
上記接合部３６が縫合からなる場合、その縫い目は、強靱な糸で縫う場合は１本でもよい。しかし、充填材２８の通過を阻止する観点からは、複数本の縫い目からなる接合部が好ましい。直線状の上部接合部３６は、５ｍｍ以上２０ｍｍ以下の幅Ｐを有し、且つ、２本以上の縫い目からなるのが好ましい。また、本実施形態では、上部接合部３６は１本のみ形成されているが、かかる構成には限定されない。複数本の上部接合部が、互いに間隔を開けて平行に形成されてもよい。上部接合部３６の本数は、１本以上３本以下であるのが好ましい。
【００２３】
この枕２の、上部接合部３６及びその近傍の厚さは薄くなる。すなわち、枕２のその部分の高さが低くなる。接合部としては、上シート２０と下シート２２とが密着した形態は勿論のこと、上シート２０と下シート２２とが、仕切布の介装により、僅かに間隔を開けた状態で連結された形態をも含む。すなわち、仕切布の上端縁が上シート２０に縫い付けられ、下端縁が下シート２２に縫い付けられることにより、上部接合部３６が形成されてもよい。上部接合部３６の先端と、中央凹部８の先端とは離間している。この離間距離Ｋは、使用者の頭部を支持するのに効果的な寸法とされている。凸部６における、上部接合部３６の先端と中央凹部８の先端との離間部分は、上部接合部３６及び中央凹部８の影響により、若干凹んでいる（図３（ｂ）参照）。その結果、仰臥位にある使用者の頭部は安定しやすい。そして、使用中に頭部が枕２の上方に位置ズレしても、頭部の位置が高くなり過ぎず、安定する。また、使用者は、後頭部の触感により、この離間部分が頭部の支持部分であることを自覚することが容易となる。上部接合部３６の長さを変更することにより、離間部分の高さの調節が可能である。
【００２４】
凸部６における凹部４との境界部分、特にその左右両端近傍は、枕２の使用中に、他の部分に較べて撚れやすくなる可能性がある。この撚れを防止するために、図２及び図３（ｄ）、（ｅ）に示されるように、袋部材１８の下シート２２には、一端縁１８ａに沿って、補強シート３８を貼着してもよい。この補強シート３８は撚れ防止に有効な幅を持っている。例えば、一端縁１８ａから約５０ｍｍの上下幅である。撚れ防止という目的のため、補強シート３８は、上シート２０及び下シート２２の各剛性より高い剛性を有しているのが好ましい。補強シート３８の貼着対称面は、下シート２２の外面でも内面でもよい。
【００２５】
前述した上部接合部３６は、形成されなくてもよい。上部接合部３６が形成されていない枕では、中央凹部８の長さＭを、枕２の一端縁２ａから後述する距離１７０ｍｍより長くするのが好ましい。この場合、中央凹部８及び凸部６の盛り上がりにより、頭部は、側方からも支持されうる。従って、この場合には、中央凹部８の横幅Ｇは狭くするのが好ましい。この横幅Ｇは、例えば３０ｍｍ−１００ｍｍ間で調整するのが好ましい。
【００２６】
上記袋部材１８には、スポンジ材２６を出し入れするための開閉可能な開口部４０、及び、充填材２８を出し入れするための開閉可能な開口部４２が形成されている。充填材２８の充填量を、使用者の好み、体型等、種々の事情に合わせて調節することが可能である。開閉手段としては、いわゆるファスナー４４が採用されうる。充填材２８用の開口部４２のファスナー４４には、不用意な開操作を阻止するためのロックが設けられうる。外部への充填材２８の不用意な漏出を防止するためである。本実施形態では、ロックとして、面ファスナー４６が採用されている。図３（ａ）に示されるように、下シート２２側に、面ファスナー４６のフック面シート４８が固着されている。上シート２０に、ループ面シート５０が、その一端が自由の状態で取り付けられている。もちろん、フック面シート４８とループ面シート５０の配置が逆であってもよい。多数の微細フック片が多数の微細ループに係合することにより、フック面とループ面とが接合する。ループ面シート５０が、ファスナー４６の摘まみ部５２を覆い隠したうえで、フック面シート４８に接合されることにより、ロック作用がなされる。スポンジ材２６用の開口部４０には、面ファスナー４６を設けなくても上記問題は生じにくい。後述する第２の実施形態では、いずれの開口部４０、４２も、スポンジ材を出し入れするためのものであるため、両開口部ともにロックは特に必要とはしない。
【００２７】
図２を参照しつつ、枕２の外形及び各部の寸法を例示する。枕２の横幅Ｗが６３０ｍｍ、縦長さＬが４３０ｍｍ。中央凹部８の長さＭが１７０ｍｍ。中央凹部８の先端の円弧部の上下寸法Ｈが１０ｍｍ。上部接合部３６の長さＮが８０ｍｍ。中央凹部８と上部接合部３６との離間距離Ｋが１８０ｍｍ。中央凹部８の横幅Ｇが１００ｍｍ。１本の上部接合部３６の横幅Ｐが１０ｍｍ。左右の凹部１０、１２の上端縁の、一端縁２ａに対する傾斜角αが１０°。この凹部１０、１２の外端の上下幅Ｆが３０ｍｍ。上記寸法はいずれも例示である。図２に示されるような凹部４や上部接合部３６の形状配置であれば、上記例示寸法の±２０％の範囲内では前述した有意な効果が奏されうる。仰臥位の頭部を中央凹部８で支持する枕、上部接合部３６が存在しない枕等では、上記寸法範囲には限定されない。
【００２８】
図１から図３を参照した以上の説明から、枕２の表面には凹凸が生じていることが判る。本実施形態では、袋部材１８にスポンジ材２６及び充填材２８を収納したときに、上面側が下面側より膨らむように、一つの内部空間を形成する上シート２０と下シート２２の広さを相違させている。つまり、上シート２０を下シート２２より広くしている。
【００２９】
この枕２の使用時、使用者は、後頭部を中央凹部８より少し上の凸部６に位置合わせをして仰臥位になる。このとき、使用者の首が中央凹部８に沿って載る。使用者の第１頸椎から第３頸椎あたりまでの棘突起及び横突起が、中央凹部８から均等且つ柔軟な支持を受ける。さらに、一般的に骨が後方に突出しているおおよそ第７頸椎から第３胸椎当たりまでの範囲も、均等且つ柔軟な支持を受ける。後頭部は、凸部６から均等且つ柔軟な支持を受ける。以上のごとく、この枕２には、使用者の首や胸椎を押圧するような段差は存在しない。もちろん、以上のような作用効果については、使用者の枕２の用い方によって差が生じる。
【００３０】
この枕２では、左凹部１０から左凸部１４にかけての盛り上がり、及び、右凹部１２から右凸部１６にかけての盛り上がりが、使用者の肩のラインに沿うことができる。かかる構成によれば、従来の枕を仰臥位で使用したときに生じる使用者の肩の傾斜面と接地面との間の隙間を効果的に埋めることができる。この構成が狙う効果は、左凸部１４及び右凸部１６の盛り上がりにより、上記隙間を埋めた状態で肩部を支持することにより、この隙間に起因して発生しうる肩こりを効果的に防止することである。
【００３１】
側臥位の場合、使用者の頭は、左凸部１４又は右凸部１６の上に横向きに載る。左凸部１４及び右凸部１６は、頭部を支持しうる適度な高さと左右上下幅と柔軟性とを有している。
【００３２】
以上説明した実施形態（第１の実施形態）では、凹部収納部３０に収納される本体としてスポンジ材２６が採用され、凸部収納部３２に収納される本体として粒子状充填材２８が採用されている。しかし、凸部６の本体にも、粒子状充填材２８に代えてスポンジ材が採用されてもよい。この凸部６にもスポンジ材が採用された枕を、図示はしないが、第２の実施形態と呼ぶ。第２の実施形態では、枕の平面視形状及びその寸法については、図２を参照して前述された内容が適用されうる。また、凸部収納部３２に収納されるスポンジ材は、図２及び図３に示されるような形状に成型されているのが好ましい。より具体的には、このスポンジ材は、図２に示されたような平面視形状に成型されたものであり、また、図３（ａ）、図３（ｂ）、図３（ｃ）及び図３（ｅ）に示されたような断面形状に成型されたものである。凸部６に採用されるスポンジ材としては、凹部４のスポンジ材２６より、少し硬度が高いものを選択するのが好ましい。凸部６は頭部を支持するからである。また、図１から３に示される開口部４２から、異なる厚さのスポンジ材を出し入れして、凸部６の高さ調節を行うことができる。
【００３３】
この第２の実施形態では、前述した図１−３における上部接続部３６は、仕切布に変更されうる。まず、凸部収納部３２に収納されるスポンジ材には、上部接続部３６に相当する部位に、他端２ｂ側から内方に向けて切り込み部（切断部）が形成される。凸部収納部３２における、上部接続部３６に対応する内部には、左右を仕切る仕切布が縫い込まれる。仕切布の上端縁が上シート２０に縫い付けられ、下端縁が下シート２２にに縫い付けられる。仕切布は、長さが上部接続部３６とほぼ同じ長さであり、その上下幅は約２０ｍｍである。スポンジ材を凸部収納部３２に収納する際に、上記切り込み部に上記仕切布が入り込むようにする。仕切布の採用に代えて、凸部収納部３２における、上部接続部３６に対応する部位を切断し、そこを縫合して閉じることにより、足袋の親指収納部と他の指収納部との仕切部のごとく切り込みを形成してもよい。
【００３４】
第２の実施形態における、袋部材１８の凹部収納部３０と凸部収納部３２との境界部は、以下の通りである。この境界部としては、前述した第１の実施形態におけると同様に、上シート２０と下シート２２との内面に仕切布を縫い付けたものとするのが好ましい。具体的には、上下幅が約２０ｍｍ、長さが境界部の長さと同じ長さの仕切布を、上記境界部に沿って配置し、その上端縁を上シート２０に縫い付け、下端縁を下シート２２に縫い付ける。この境界部は、仕切布に代えて、上シート２０と下シート２２とを縫合した境界接合部とすることができる。凹部４及び凸部６の本体は、いずれも１つのスポンジ材のブロックであるため、上記境界部を密閉状態にしなくても、相互に入り乱れる心配はない。従って、境界部に沿って、上シート２０と下シート２２とを間隔を開けて糸で縫うことにより、仕切を形成してもよい。しかし、縫合による接合部では、凹部４と凸部６との間に段差が生じやすい。また、上シート２０と下シート２２とを間隔を開けて糸で縫った場合には、スポンジ材が糸によって損傷するおそれもある。従って、仕切布３４による境界部が好ましい。
【産業上の利用可能性】
【００３５】
本考案の枕は、万人向きであり且つ安価に製造可能でもある。
【符号の説明】
【００３６】
２・・・枕、  ２ａ・・・枕の一端縁、  ２ｂ・・・枕の他端縁、  ４・・・凹部、
６・・・凸部、  ８・・・中央凹部、  １０・・・左凹部、  １２・・・右凹部、
１４・・・左凸部、  １６・・・右凸部、  １８・・・袋部材、
１８ａ・・・袋部材の一端縁、  １８ｂ・・・袋部材の他端縁、  ２０・・・上シート、２２・・・下シート、  ２６・・・スポンジ材、  ２８・・・充填材、  
３０・・・凹部収納部、  ３２・・・凸部収納部、  ３４・・・仕切布、  
３６・・・上部接合部、  ３８・・・補強シート、  ４０、４２・・・開口部、
４４・・・ファスナー、  ４６・・・面ファスナー、  ４８・・・ループ面シート、
５０・・・フック面シート、  ５２・・・摘まみ部
【図１】
0003205901.tif 000003
【図２】
0003205901.tif 000004
【図３】
0003205901.tif 000005